【手続補正書】
【提出日】平成19年1月29日(2007.1.29)
【手続補正１】
【補正対象書類名】特許請求の範囲
【補正対象項目名】全文
【補正方法】変更
【補正の内容】
【特許請求の範囲】
【請求項１】
基体と、該基体の少なくとも片面に画像受像層を有してなり、
前記画像受像層が少なくとも離型性材料を含有し、かつ該画像受像層の表面抵抗値が、２３℃、５５％ＲＨにおいて、１．０×１０8〜３．２×１０13Ω／□の範囲であることを特徴とする電子写真用画像形成材料転写シート。
【請求項２】
前記離型性材料が、シリコーン系ハードコート材料を含むことを特徴とする請求項１に記載の電子写真用画像形成材料転写シート。
【請求項３】
前記画像受像層の膜厚が０．１〜２０μｍの範囲であり、かつ該膜厚の１．２倍以上の体積平均粒径を有するフィラーを含むことを特徴とする請求項１に記載の電子写真用画像形成材料転写シート。
【請求項４】
２３℃、５５％ＲＨにおける表裏面の表面抵抗値差が、４桁以内であることを特徴とする請求項１に記載の電子写真用画像形成材料転写シート。
【請求項５】
基体と、該基体の少なくとも片面に画像受像層を有してなり、前記画像受像層が少なくとも離型性材料を含有し、かつ該画像受像層の表面抵抗値が、２３℃、５５％ＲＨにおいて、１．０×１０8〜３．２×１０13Ω／□の範囲である電子写真用画像形成材料転写シートの前記画像受像層の表面に電子写真方式により画像形成材料からなる画像が形成された電子写真用画像形成材料転写シートの画像面を、少なくとも画像支持体の片面と加熱圧着し、前記画像形成材料が冷却した後、前記画像形成材料転写シートを前記画像支持体から剥し、前記画像形成材料が前記画像支持体に転写されることで画像情報が記録されることを特徴とする画像記録体。
【請求項６】
前記画像支持体の少なくとも画像が転写される側の面が、エチレングリコール、テレフタル酸及び１，４−シクロヘキサンジメタノール成分を少なくとも共重合させたポリエステル樹脂を含むことを特徴とする請求項５に記載の画像記録体。
【請求項７】
前記画像支持体の内部に、電気的手段、磁気的手段、光学的手段から選択される少なくとも１つの手段を利用することにより少なくとも情報の読み出しが可能な情報チップを少なくとも含むことを特徴とする請求項６に記載の画像記録体。
【請求項８】
基体と、該基体の少なくとも片面に画像受像層を有してなり、前記画像受像層が少なくとも離型性材料を含有し、かつ該画像受像層の表面抵抗値が、２３℃、５５％ＲＨにおいて、１．０×１０8〜３．２×１０13Ω／□の範囲である電子写真用画像形成材料転写シートの前記画像受像層が設けられた側の面に、電子写真方式により画像形成材料からなる画像を形成する画像形成工程と、
前記電子写真用画像形成材料転写シートを、少なくとも画像支持体の片面と前記画像が形成された面とが対面するように重ね合わせ積層体とする位置決め工程と、
前記位置決めされた積層体を加熱圧着する加熱圧着工程と、
前記画像形成材料が冷却した後、前記電子写真用画像形成材料転写シートを画像支持体から剥し、画像形成材料が画像支持体に転写されることで画像が記録される剥離工程と、を少なくとも含むことを特徴とする画像記録体の作製方法。
【請求項９】
前記位置決め工程において、前記画像形成工程を経た２つの電子写真用画像形成材料転写シートを、その表面に形成された画像面を互いに対面させることを特徴とする請求項８に記載の画像記録体の作製方法。
【請求項１０】
少なくとも一方の面に画像受像層を有する電子写真用画像形成材料転写シートを収容する電子写真用画像形成材料転写シート収納部と、
該電子写真用画像形成材料転写シートの画像受像層が設けられた側の面に、電子写真方式により画像形成材料からなる画像を形成する画像形成部と、
画像支持体を収容する画像支持体収納部と
前記電子写真用画像形成材料転写シートを、少なくとも画像支持体の片面と前記画像が形成された面とが対面するように重ね合わせ、積層体とする位置決め部と、
前記位置決めされた積層体を加熱圧着する加熱圧着部と、
前記画像形成材料が冷却した後、前記電子写真用画像形成材料転写シートを画像支持体から剥し、画像形成材料が画像支持体に転写されることで画像が記録される剥離部と、
を備えることを特徴とする画像記録体の作製装置。
【請求項１１】
前記画像形成部から前記位置決め部へと前記電子写真用画像形成材料転写シートを供給する搬送路に、選択的に前記電子写真用画像形成材料転写シートの表裏を反転させる第１の反転手段を設けることを特徴とする請求項１０に記載の画像記録体の作製装置。
【請求項１２】
前記画像形成部と前記位置決め部とは個別に独立して設けられると共に、前記第１の反転手段を、前記画像形成部及び前記位置決め部の一方に一体的に設けたことを特徴とする請求項１１に記載の画像記録体の作製装置。
【手続補正２】
【補正対象書類名】明細書
【補正対象項目名】００３５
【補正方法】変更
【補正の内容】
【００３５】
＜１４＞  基体と、該基体の少なくとも片面に画像受像層を有してなり、前記画像受像層が少なくとも離型性材料を含有し、かつ該画像受像層の表面抵抗値が、２３℃、５５％ＲＨにおいて、１．０×１０8〜３．２×１０13Ω／□の範囲である電子写真用画像形成材料転写シートの前記画像受像層の表面に電子写真方式により画像が形成された電子写真用画像形成材料転写シートの画像面を、少なくとも画像支持体の片面と加熱圧着し、前記画像形成材料が冷却した後、前記画像形成材料転写シートを画像支持体から剥し、画像形成材料が画像支持体に転写されることで画像情報が記録されることを特徴とする画像記録体である。
【手続補正３】
【補正対象書類名】明細書
【補正対象項目名】００４２
【補正方法】変更
【補正の内容】
【００４２】
＜２１＞  基体と、該基体の少なくとも片面に画像受像層を有してなり、
前記画像受像層が少なくとも離型性材料を含有し、かつ該画像受像層の表面抵抗値が、２３℃、５５％ＲＨにおいて、１．０×１０8〜３．２×１０13Ω／□の範囲である電子写真用画像形成材料転写シートの前記画像受像層が設けられた側の面に、電子写真方式により画像形成材料からなる画像を形成する画像形成工程と、
前記電子写真用画像形成材料転写シートを、少なくとも画像支持体の片面と前記画像が形成された面とが対面するように重ね合わせ積層体とする位置決め工程と、
前記位置決めされた積層体を加熱圧着する加熱圧着工程と、
前記画像形成材料が冷却した後、前記電子写真用画像形成材料転写シートを画像支持体から剥し、画像形成材料が画像支持体に転写されることで画像が記録される剥離工程と、を少なくとも含むことを特徴とする画像記録体の作製方法である。
【手続補正４】
【補正対象書類名】明細書
【補正対象項目名】００４４
【補正方法】変更
【補正の内容】
【００４４】
＜２３＞  少なくとも一方の面に画像受像層を有する電子写真用画像形成材料転写シートを収容する電子写真用画像形成材料転写シート収納部と、
該電子写真用画像形成材料転写シートの画像受像層が設けられた側の面に、電子写真方式により画像形成材料からなる画像を形成する画像形成部と、
画像支持体を収容する画像支持体収納部と
前記電子写真用画像形成材料転写シートを、少なくとも画像支持体の片面と前記画像が形成された面とが対面するように重ね合わせ、積層体とする位置決め部と、
前記位置決めされた積層体を加熱圧着する加熱圧着部と、
前記画像形成材料が冷却した後、前記電子写真用画像形成材料転写シートを画像支持体から剥し、画像形成材料が画像支持体に転写されることで画像が記録される剥離部と、
を備えることを特徴とする画像記録体の作製装置である。
【手続補正５】
【補正対象書類名】明細書
【補正対象項目名】０１３７
【補正方法】変更
【補正の内容】
【０１３７】
前記フィラーの形状としては、球状粒子が一般的であるが、板状、針状、不定形状であってもよい。
また、フィラーの体積平均粒子径としては、０．１〜３０μｍ以下であることが好ましいが、画像受像層膜厚を考慮すると、画像受像層膜厚の１．２倍以上が好ましい。大き過ぎるとフィラーが画像受像層１２０から脱離して粉落ち現象が発生し、表面が摩耗損傷し易くなり、さらに曇り（ヘイズ度）が増大することとなる。フィラーが画像受像層表面から突出することで、表裏に重ねられた画像形成材料転写シートの摩擦係数が低下し、電子写真装置内を画像形成材料転写シートがスムーズに移動できるためである。
【手続補正６】
【補正対象書類名】明細書
【補正対象項目名】０１６１
【補正方法】変更
【補正の内容】
【０１６１】
本発明の画像記録体は、電子写真用画像形成材料転写シートの画像受像層が設けられた側の面に、電子写真方式により画像形成材料からなる画像を形成する画像形成工程と、前記電子写真用画像形成材料転写シートを、少なくとも画像支持体の片面と前記定着画像が形成された面とが対面するように重ね合わせ積層体とする位置決め工程と、前記位置決めされた積層体を加熱圧着する加熱圧着工程と、前記画像形成材料が冷却固化した後、前記電子写真用画像形成材料転写シートを画像支持体から剥し、画像形成材料が画像支持体に転写されることで画像が記録される剥離工程と、を少なくとも含む工程を経て作製される。
【手続補正７】
【補正対象書類名】明細書
【補正対象項目名】０１６３
【補正方法】変更
【補正の内容】
【０１６３】
本発明の電子写真用画像形成材料転写シートは、画像形成面（画像受像層が設けられた側の面）をＩＣチップなどが含まれた画像支持体と重ね、画像を転写するものであるため、転写シートの画像受像層に形成される画像は反転画像（鏡像画像）とし、前記感光体表面に静電潜像を形成する際には、上記感光体表面に露光される画像情報としては鏡像の情報が提供されることが好ましい。
【手続補正８】
【補正対象書類名】明細書
【補正対象項目名】０１８３
【補正方法】変更
【補正の内容】
【０１８３】
（画像記録体の作製装置）
次に、本発明の画像記録体の作製装置について説明する。
本発明の画像記録体の作製装置は、前記本発明の電子写真用画像形成材料転写シート、画像記録体の作製方法を用いるものであり、少なくとも一方の面に画像受像層を有する電子写真用画像形成材料転写シートを収容する電子写真用画像形成材料転写シート収納部と、該電子写真用画像形成材料転写シートの画像受像層が設けられた側の面に、電子写真方式により画像形成材料からなる画像を形成する画像形成部と、画像支持体を収容する画像支持体収納部と、前記電子写真用画像形成材料転写シートを、少なくとも画像支持体の片面と前記画像が形成された面とが対面するように重ね合わせ、積層体とする位置決め部と、前記位置決めされた積層体を加熱圧着する加熱圧着部と、前記画像形成材料が冷却固化した後、前記電子写真用画像形成材料転写シートを画像支持体から剥し、画像形成材料が画像支持体に転写されることで画像が記録される剥離部と、を備えるものである。
【手続補正９】
【補正対象書類名】明細書
【補正対象項目名】０２４４
【補正方法】変更
【補正の内容】
【０２４４】
１０ 画像記録体の作製装置
１２ 画像形成装置
１４ 丁合い装置（位置決め部）
１６ ラミネート装置（加熱圧着部）
１７ 剥離装置（剥離部）
１８ 転写シートスタッカー（電子写真用画像形成材料転写シート収納部）
２０ 画像形成部
２２、１００ 転写シート（電子写真用画像形成材料転写シート）
２４、２６、４０、４２、６０ 搬送路
２６ａ 反転路
２８ 排出口
３２ カム
３４ プラスチックシートスタッカー（画像支持体収納部）
３６ 丁合いトレイ
３８、２００ プラスチックシート（画像支持体）
４６ ベルト
５６ プラスチックシート排出トレイ
５７ 転写シート排出トレイ
１１０  基体
１２０  画像受像層
１３０  画像形成材料